(57)【要約】【課題】背の低い小児等が外デッキカバーに上がろうとすることを確実に防ぐことができる乗客コンベアの欄干装置の提供。【解決手段】踏段１の側方に立設される欄干パネル２と、この欄干パネル２の下方付近の外側に設けられ、鉄骨構造物から成る欄干支持部材を被う外デッキカバー４とを備えた乗客コンベアの欄干装置において、外デッキカバー４の上面、または上面近傍位置に外デッキカバー４に上がろうとする者を検出する検出手段を備えた。この検出手段は、例えば発光装置７Ａと受光装置７Ｂとによって構成してある。さらに、受光装置７Ａの信号を入力したコントローラ１１から出力される信号に応じて危険であることを報知する報知手段、例えば警告音声を発するスピーカ１２を備えた構成にしてある。【選択図】図１
2011063371.tif 000002
【特許請求の範囲】
【請求項１】
踏段の側方に立設される欄干パネルと、この欄干パネルの下方付近の外側に設けられ、鉄骨構造物から成る欄干支持部材を被う外デッキカバーとを備えた乗客コンベアの欄干装置において、
上記外デッキカバーの上面、または上面近傍位置に、上記外デッキカバーに上がろうとする者を検出する検出手段を備えたことを特徴とする乗客コンベアの欄干装置。
【請求項２】
請求項１に記載の乗客コンベアの欄干装置において、
上記外デッキカバーの上面に設けられるベース部材と、このベース部材に組み込まれ、上記外デッキカバーへの侵入を防止する侵入防止帯とを備え、
上記検出手段を上記ベース部材の内部に配置したことを特徴とする乗客コンベアの欄干装置。
【請求項３】
請求項１または２に記載の乗客コンベアの欄干装置において、
上記検出手段は、発光装置と、この発光装置から出射される光を入射する受光装置とから成ることを特徴とする乗客コンベアの欄干装置。
【請求項４】
請求項１〜３のいずれか１項に記載の乗客コンベアの欄干装置において、
上記検出手段から出力される信号に応じて危険であることを報知する報知手段を備えたことを特徴とする乗客コンベアの欄干装置。
【請求項５】
請求項４に記載の乗客コンベアの欄干装置において、
上記報知手段は、上記乗客コンベアの周囲に配置され、警告音声を発するスピーカから成ることを特徴とする乗客コンベアの欄干装置。
【発明の詳細な説明】
【技術分野】
【０００１】
本発明は、欄干パネルの外側に設けられる外デッキカバーを備えた乗客コンベアの欄干装置に関する。
【背景技術】
【０００２】
図３は従来の乗客コンベアの欄干装置を示す側面図である。この図３に示す従来の乗客コンベアの欄干装置は、図示しない踏段の側方に立設される欄干パネル２と、この欄干パネル２に装着され、図示しない踏段と同期して移動する移動手摺３と、欄干パネル２の下方付近の側方に設けられ、鉄筋構造物から成る欄干支持部材を被う外デッキカバー４とを備えている。
【０００３】
また、外デッキカバー４の上面の乗降口近傍に設けられたベース部材５と、このベース部材５から離れた位置、例えば乗客コンベアの傾斜部に設けられたベース部材６と、ベース部材５に組み込まれる柱状の侵入防止帯５Ａと、ベース部材６に組み込まれる柱状の侵入防止帯６Ａとを備えている。侵入防止帯５Ａ，６Ａは、小児等が悪戯で外デッキカバー４に上がることをその小児等に対して視覚的に断念させるために設けられたものである。小児等が外デッキカバー４に上がって、当該乗客コンベアの傾斜部方向に行った際などには、誤って小児等が落下して大怪我する事故が懸念される。
【０００４】
なお、外デッキカバー４方向への侵入を防止するものとして、特許文献１に示されるものがある。この特許文献１に示される従来技術は、外デッキカバーに欄干パネルよりも上方まで伸びる一対の支柱と、これらの支柱の一方の支柱の上部に設けられる発光装置と、他方の支柱の上部に設けられ、発光装置から出射される光を入射する受光装置とを設けた構成になっている。この特許文献１に示される従来技術は、踏段の乗客が外デッキカバー方向に身を乗り出し、これによって建屋天井との間に乗客が挟まれたり、乗客コンベアから落下するような危険を防止するために設けられている。
【先行技術文献】
【特許文献】
【０００５】
【特許文献１】特開２０００−２１９４７４号公報
【発明の概要】
【発明が解決しようとする課題】
【０００６】
上述した特許文献１に示される従来技術は、乗客コンベアから乗客が身を乗り出すことによる危険を防止するものであり、発光装置、受光装置がそれぞれ設けられる支柱よりも背の低い小児等が外デッキカバーに上がることによる危険を防止するためには有効なものではない。また、図３に示す従来技術は、複数の侵入防止帯５Ａ，６Ａを設けて視覚的に外デッキカバー４への侵入を防止するものであるが、これらの侵入防止帯５Ａ，６Ａの間から小児等が外デッキカバー４に上がってしまうことがあり、小児等の外デッキカバー４への侵入の防止には十分に有効なものとは言い難い。
【０００７】
本発明は、上述した従来技術における実状からなされたもので、その目的は、背の低い小児等が外デッキカバーに上がろうとすることを確実に防ぐことができる乗客コンベアの欄干装置を提供することにある。
【課題を解決するための手段】
【０００８】
上記目的を達成するために、本発明に係る乗客コンベアの欄干装置は、踏段の側方に立設される欄干パネルと、この欄干パネルの下方付近の外側に設けられ、鉄骨構造物から成る欄干支持部材を被う外デッキカバーとを備えた乗客コンベアの欄干装置において、上記外デッキカバーの上面、または上面近傍位置に、上記外デッキカバーに上がろうとする者を検出する検出手段を備えたことを特徴としている。このように構成した本発明は、検出手段を外デッキカバーの上面、または上面近傍に配置したことから、外デッキカバーに上がろうとする者を検出手段によって検出でき、この検出手段から出力される信号を活用することによって、背の低い小児等が外デッキカバーに上がろうとすることを確実に防ぐことができる。
【０００９】
また、本発明に係る乗客コンベアの欄干装置は、上記発明において、上記外デッキカバーの上面に設けられるベース部材と、このベース部材に組み込まれ、上記外デッキカバーへの侵入を防止する侵入防止帯とを備え、上記検出手段を上記ベース部材の内部に配置したことを特徴としている。このように構成した本発明は、外デッキカバーの上面に設けられる侵入防止帯用のベース部材の内部に検出手段を設けたことから、検出手段がベース部材に被われて外部に露出することがなく、これにより当該乗客コンベアの優れた意匠性を確保することができる。
【００１０】
また、本発明に係る乗客コンベアの欄干装置は、上記発明において、上記検出手段は、発光装置と、この発光装置から出射される光を入射する受光装置とから成ることを特徴としている。このように構成した本発明は、発光装置から出射される光が遮断されたことを受光装置が検出することによって外デッキカバーに上がろうとする小児等が居ることを認識できると共に、検出手段の構成を簡単にすることができ、実用性に富む。
【００１１】
また、本発明に係る乗客コンベアの欄干装置は、上記発明において、上記検出手段から出力される信号に応じて危険であることを報知する報知手段を備えたことを特徴としている。このように構成した本発明は、報知手段によって外デッキカバーに上がろうとする小児等の耳に危険であることを知らせることができる。また、小児等の保護者等が近くに居るときには、その保護者等にも小児等が危険な状態にあることを知らせることができる。
【００１２】
また、本発明に係る乗客コンベアの欄干装置は、上記発明において、上記報知手段は、上記乗客コンベアの周囲に配置され、警告音声を発するスピーカから成ることを特徴としている。このように構成した本発明は、スピーカから発せられる音声によって、外デッキカバーに上がろうとする小児等に強く警告することができ、外デッキカバーに上がることを直ちにやめさせることができる。
【発明の効果】
【００１３】
本発明は、欄干パネルの下方付近の外側に設けられ、鉄骨構造物から成る欄干支持部材を被う外デッキカバーの上面、または上面近傍位置に、外デッキカバーに上がろうとする者を検出する検出手段を備えたことから、背の低い小児等が外デッキカバーに上がることを確実に防ぐことができ、従来に比べて小児等に対する優れた安全性を確保することができる。
【図面の簡単な説明】
【００１４】
【図１】本発明に係る乗客コンベアの欄干装置の一実施形態を示す側面図である。
【図２】図１のＡ部拡大図である
【図３】従来の乗客コンベアの欄干装置を示す側面図である。
【発明を実施するための形態】
【００１５】
以下、本発明に係る乗客コンベアの欄干装置の実施の形態を図に基づいて説明する。
【００１６】
図１は本発明に係る乗客コンベアの欄干装置の一実施形態を示す側面図、図２は図１のＡ部拡大図である
本実施形態に係る乗客コンベアの欄干装置も、前述した図３に示したものと同様に、踏段１の側方に立設される欄干パネル２と、この欄干パネル２に装着され、踏段１と同期して移動する移動手摺３と、欄干パネル２の下方付近の側方に設けられ、鉄筋構造物から成る欄干支持部材を被う外デッキカバー４とを備えている。また例えば、外デッキカバー４の上面の乗降口近傍に設けられた箱状のベース部材５と、このベース部材５から離れた位置、例えば乗客コンベアの傾斜部に設けられた箱状のベース部材６と、ベース部材５に組み込まれる柱状の侵入防止帯５Ａと、ベース部材６に組み込まれる柱状の侵入防止帯６Ａとを備えている。これらの構成については、図３に示したものと同等である。
【００１７】
本実施形態は、外デッキカバー４の上面、または上面近傍位置に、外デッキカバー４に上がろうとする者を検出する検出手段を備えている。例えば、検出手段をベース部材５，６の内部に配置してある。この検出手段は、例えば発光装置７Ａと、この発光装置７Ａから出射される光８を入射する受光装置７Ｂとから成っており、発光装置７Ａはベース部材５の内部に配置してあり、受光装置７Ｂはベース部材６の内部に配置してある。
【００１８】
発光装置７Ａは、例えば図２に示すようにベース部材５の内部に形成した傾斜部材９に、出射される光８が斜め上方を向くように取り付けてある。図示省略するが、受光装置７Ｂも同様に、ベース部材６の内部に形成した傾斜部材に光８の入射を可能とするように取り付けてある。
【００１９】
また、本実施形態は、検出手段を構成する受光装置７Ｂから出力される信号に応じて危険を報知する報知手段を備えている。この報知手段は、例えば当該乗客コンベアの周囲に配置され警告音声を発するスピーカ１２から成っている。
【００２０】
また、コントローラ１１を備えており、このコントローラ１１から信号線１０を介して発光装置７Ａに電源電力が供給され、受光装置７Ｂによる検出信号が信号線信号線１０Ａを介してコントローラ１１に入力されるようになっている。また、コントローラ１１は、受光装置７Ｂの検出信号を入力したときには、警告音声に相応する信号をスピーカ１２に出力するようになっている。
【００２１】
本実施形態にあっては、発光装置７Ａをベース部材５の内部に配置し、受光装置７Ｂをベース部材６の内部に配置したことから、すなわち発光装置７Ａ及び受光装置７Ｂを外デッキカバー４の上面近傍に配置したことから、外デッキカバー４に上がろうとする者が存在したときには、発光装置７Ａから出射される光８が遮断され、光８が受光装置７Ｂに入射されなくなり、この受光装置７Ｂからの検出信号に応じてコントローラ１１は、上述したようにスピーカ１２に警告音声に相応する信号を出力する。したがって、スピーカ１２から外デッキカバー４に上がろうとする者に、警告音声が発せられる。この警告音声を聞くことにより外デッキカバー４に上がろうとしていた者は、上がることが危険であることに強く気付かされる。
【００２２】
このように構成した本実施形態によれば、上述した侵入防止帯５Ａ，６Ａによる外デッキカバー４への侵入防止の効果に加えて、発光装置７Ａ及び受光装置７Ｂの設置位置が外デッキカバー４の上面近傍位置であり、これに伴って発光装置７Ａから出射される光８の路が外デッキカバー４の上面近傍位置となることから、背の低い小児等が外デッキカバー４に上がろうとすることを確実に防止することができ、小児等に対する優れた安全性を確保することができる。
【００２３】
また、箱状のベース部材５，６のそれぞれの内部に発光装置７Ａ、受光装置６Ａを配置したことから、これらの発光装置７Ａ、受光装置７Ｂがそれぞれベース部材５，６に被われて外部に露出せず、意匠性に優れた乗客コンベアとすることができる。
【００２４】
また、検出手段は上述したように一般に入手しやすい発光装置７Ａと受光装置７Ｂとから成る簡単な構成であり、実用性に富む。
【００２５】
また、報知手段すなわち当該乗客コンベアの周囲に配置されるスピーカ１２によって外デッキカバー４に上がろうとする小児等の耳に危険であることを直接に知らせることができ、また、小児等の保護者等が近くに居る場合には、その保護者等にも危険な状態にあることを気付かせることができる。すなわちスピーカ１２から発せられる音声によって小児等及び保護者等に強く警告し、外デッキカバー４に上がることを直ちにやめさせることができ、優れた危険防止効果が得られる。
【００２６】
上記実施形態では、意匠性の確保を考慮して発光装置７Ａをベース部材５の内部に配置し、受光装置７Ｂをベース部材６の内部に配置したが、意匠性をそれ程考慮しなくて済む場合等においては、発光装置７Ａ及び受光装置７Ｂを外デッキカバー４の上面に直接に取り付ける構成としてもよい。
【００２７】
また、上記実施形態では、検出手段として発光装置７Ａ及び受光装置７Ｂを設けた構成にしてあるが、この検出手段は発光装置７Ａ、受光装置７Ｂから成るものに限られず公知の種々の構成とすることができる。
【００２８】
また、本実施形態は、図３に示した従来の乗客コンベアの欄干装置、すなわち既設の欄干装置にあっても意匠性を損なうことなく容易に設けることができる。
【００２９】
また、上記では報知手段としてスピーカ１２を設けた構成にしてあるが、本発明は、このようにスピーカ１２を設ける構成には限られず、報知手段をブザー音を発する警報器によって構成してもよく、また、外デッキカバー４に上がろうとする小児等が見やすい位置に設けられ、赤色等のランプを点灯させる点灯装置等から成る構成にしてもよい。
【００３０】
なお、上記実施形態が備えられる乗客コンベアは、侵入防止帯５Ａ，６Ａが組み込まれるベース部材５，６を備えた構成にしてあるが、本実施形態に係る欄干装置は、このような侵入防止帯５Ａ，６Ａ、及びベース部材５，６を備えない乗客コンベアに設けてもよい。
【符号の説明】
【００３１】
１    踏段
２    欄干パネル
４    外デッキカバー
５    ベース部材
５Ａ  侵入防止帯
６    ベース部材
６Ａ  侵入防止帯
７Ａ  発光装置（検出手段）
７Ｂ  受光装置（検出手段）
１１    コントローラ
１２    スピーカ（報知手段）
【図１】
2011063371.tif 000003
【図２】
2011063371.tif 000004
【図３】
2011063371.tif 000005